(57)【特許請求の範囲】
【請求項１】
ソースセルのデータ無線ベアラ（DRB）パケット廃棄率の計算方法であって、
クロスステーション/クロスボード切り換えのシーンにおいて、ソースセルに対して、DRBパケット廃棄率を計算するための関連パラメータを統計することと、
前記関連パラメータに基づいてDRBパケット廃棄率を計算することとを含み、ここで、
前記ソースセルがアクティベーションされた後に、各サービス品質クラス標識（QCI）等級の無線ベアラにおいて、プリセット周期内で、前記ソースセルが受信したすべてのダウンリンクDRBデータパケット数、ダウンリンクDRBパケット放棄数及びダウンリンク逆送信DRBデータパケット数を統計し、且つ
0006029196.tif 000051
という式に基づいて前記ソースセルのDRBパケット廃棄率を計算し、
ただし、
0006029196.tif 000052
はいずれか一つのQCI等級の無線ベアラにおいて、プリセット周期内でのDRBパケット廃棄率を表し、
0006029196.tif 000053
は前記ソースセルが受信したすべてのダウンリンクDRBデータのパケット数を表し、
0006029196.tif 000054
はダウンリンク逆送信DRBデータパケット数を表し、
0006029196.tif 000055
はダウンリンクDRBパケット放棄数を表し、ここで、ダウンリンク逆送信データのパケットはソース基地局により逆送信トンネルを介して目標基地局に逆送信するデータであり、または、
前記ソースセルがアクティベーションされた後に、各QCI等級の無線ベアラにおいて、プリセット周期内で、該セルのダウンリンクDRBパケット放棄数、ハイブリッド自動再送要求（HARQ）に成功したダウンリンクDRBデータパケット数及びHARQに失敗したDRBデータパケット数を統計し、且つ
0006029196.tif 000056
という式に基づいて前記ソースセルのDRBパケット廃棄率を計算し、
ただし、
0006029196.tif 000057
はいずれか一つのQCI等級の無線ベアラにおいて、プリセット周期内でのDRBパケット廃棄率を表し、
0006029196.tif 000058
は前記ソースセルのダウンリンクDRBパケット放棄数を表し、
0006029196.tif 000059
はHARQに成功したダウンリンクDRBデータパケット数を表し、
0006029196.tif 000060
はHARQに失敗したダウンリンクDRBデータパケット数を表すソースセルのデータ無線ベアラ（DRB）パケット廃棄率の計算方法。
【請求項２】
ソースセルのデータ無線ベアラ（DRB）パケット廃棄率の計算装置であって、
クロスステーション/クロスボード切り換えのシーンにおいて、ソースセルに対して、DRBパケット廃棄率を計算するための関連パラメータを統計するように設定される統計モジュールと、
前記関連パラメータに基づいてDRBパケット廃棄率を計算するように設定される計算モジュールと、を備え、ここで、
前記統計モジュールは、前記ソースセルがアクティベーションされた後に、各サービス品質クラス標識QCI等級の無線ベアラにおいて、プリセット周期内で、該セルが受信したすべてのダウンリンクDRBデータパケット数、ダウンリンクDRBパケット放棄数及びダウンリンク逆送信DRBデータパケット数を統計するように設定され、
前記計算モジュールは、
0006029196.tif 000061
という式に基づいて該セルのDRBパケット廃棄率を計算するように設定され、
ただし、
0006029196.tif 000062
はいずれかのQCI等級の無線ベアラにおいて、プリセット周期内でのDRBパケット廃棄率を表し、
0006029196.tif 000063
は前記ソースセルが受信したすべてのダウンリンクDRBデータのパケット数を表し、
0006029196.tif 000064
はダウンリンク逆送信DRBデータパケット数を表し、
0006029196.tif 000065
はダウンリンクDRBパケット放棄数を表し、ここで前記ダウンリンク逆送信データパケットはソース基地局により逆送信トンネルを介して目標基地局に逆送信するデータであり、または、
前記統計モジュールは、前記ソースセルがアクティベーションされた後に、各QCI等級の無線ベアラにおいて、プリセット周期内で、前記ソースセルのダウンリンクDRBパケット放棄数、ハイブリッド自動再送要求（HARQ）に成功したダウンリンクDRBデータパケット数及びHARQに失敗したDRBデータパケット数を統計するように設定され、
前記計算モジュールは、
0006029196.tif 000066
という式に基づいて該セルのDRBパケット廃棄率を計算するように設定され、
ただし、
0006029196.tif 000067
はいずれか一つのQCI等級の無線ベアラにおいて、プリセット周期内でのDRBパケット廃棄率を表し、
0006029196.tif 000068
は前記ソースセルのダウンリンクDRBパケット放棄数を表し、
0006029196.tif 000069
はHARQに成功したダウンリンクDRBデータパケット数を表し、
0006029196.tif 000070
はHARQに失敗したダウンリンクDRBデータパケット数を表すソースセルのデータ無線ベアラ（DRB）パケット廃棄率の計算装置。
【発明の詳細な説明】
【技術分野】
【０００１】
本発明は通信技術分野に関し、特にデータ無線ベアラ（Data Radio Bearer、DRB）パケット廃棄率の統計方法及び装置に関する。
【背景技術】
【０００２】
重要業績評価指標（Key Performance Indicator、KPI）統計とは、無線通信システムにおいて、各キーポイントで、システム性能指標に対する統計である。KPIの統計値によって比較的全面的で正確にシステムの運転性能を反映できる。DRBパケット廃棄率はKPIの一つの重要性能指標として、システム運転性能を監視することに用いられる。
【０００３】
クロスステーション/クロスボードである場合に、例えば1つのシーンを仮定し、1つのユーザ装置（User Equipment、UE）は基地局Aのセルから基地局Bのセルに切り換え、切り換え期間でダウンリンクデータサービスがずっと開いていて、図1に示す。
【０００４】
図1から分かるように、切り換え過程において、ソース側基地局はコアネットワークから受信したDRBダウンリンクデータ量をC1とし、基地局内を流れるパケット損失数をLostNum1とし、無線インターフェースによってUEに送信するデータ量を Dnum1とし、データ逆送信トンネルによって目標側基地局に逆送信するデータ量をBackNumとして統計し、目標側基地局がコアネットワークから受信したダウンリンクDRBデータ量がC2であり、逆送信トンネルから受信したデータ量がBackNumであり、無線インターフェースによってUEに送信するデータ量が Dnum2であり、基地局内部の損失データ量がLostNum2である。
【０００５】
3GPPプロトコル36.314定義にしたがって、ソース側基地局セルでのパケット廃棄率はLostNum1/C1であり、目標側基地局セルでのパケット廃棄率はLostNum2/（C2+BackNum）である。図1から分かるように、C1 = LostNum1 + Dnum1 + BackNumである。ソース側基地局と目標側基地局パケット廃棄率の計算式を比較し、ソース側セルAと目標側セルBのダウンリンクDRBパケット廃棄率の計算式を比較して分かるように、2つの式の分母にはダウンリンクDRB逆送信データパケットBackNumが重複計算される。UEを頻繁的に切り換える場合に、逆送信データパケット数は比較的多く、このような重複計算はKPIの計算結果を希釈し、KPI計算の正確性を影響し、システム運転性能の監視に悪い影響を及ぼすことがある。
【発明の概要】
【発明が解決しようとする課題】
【０００６】
以上の分析に鑑みて、本発明の実施例は、関連技術におけるパケット損失率計算の不正確によるシステム運転性能の監視に対する悪い影響を解決するためのDRBパケット廃棄率の統計方法及び装置を提供する。
【課題を解決するための手段】
【０００７】
本発明の実施例はDRBパケット廃棄率の統計方法を開示し、
クロスステーション/クロスボード切り換えの場合に、ソースセルに対して、DRBパケット廃棄率を計算するための関連パラメータを統計すること、及び
前記関連パラメータに基づいてDRBパケット廃棄率を計算し、ダウンリンクDRB逆送信データがDRBパケット廃棄率の計算に参加しないことを含む。
【０００８】
好ましくは、DRBパケット廃棄率を計算するための関連パラメータを統計するステップは、
前記ソースセルをアクティベーションした後に、各サービス品質クラス標識（QCI）等級の無線ベアラにおいて、プリセット周期内で、ソースセルが受信したすべてのダウンリンクDRBデータパケット数、ダウンリンクDRBパケット放棄数及びダウンリンク逆送信DRBデータパケット数を統計することを含む。
【０００９】
好ましくは、
0006029196.tif 000002
という式に基づいてソースセルのDRBパケット廃棄率を計算し、
ただし、
0006029196.tif 000003
はいずれかのQCI等級の無線ベアラにおいて、プリセット周期内でのDRBパケット廃棄率を表し、
0006029196.tif 000004
はソースセルが受信したすべてのダウンリンクDRBデータのパケット数を表し、
0006029196.tif 000005
はダウンリンク逆送信DRBデータパケット数を表し、
0006029196.tif 000006
はダウンリンクDRBパケット放棄数を表す。
【００１０】
好ましくは、DRBパケット廃棄率を計算するための関連パラメータを統計するステップは、
ソースセルをアクティベーションした後に、各QCI等級の無線ベアラにおいて、プリセット周期内で、該セルのダウンリンクDRBパケット放棄数、ハイブリッド自動再送要求（HARQ）が成功するダウンリンクDRBデータパケット数及びHARQが失敗するDRBデータパケット数を統計することを含む。
【００１１】
好ましくは、
0006029196.tif 000007
という式に基づいて前記ソースセルのDRBパケット廃棄率を計算し、
ただし、
0006029196.tif 000008
はいずれかのQCI等級の無線ベアラにおいて、プリセット周期内でのDRBパケット廃棄率を表し、
0006029196.tif 000009
は前記ソース側領域のダウンリンクDRBパケット放棄数を表し、
0006029196.tif 000010
はHARQが成功するダウンリンクDRBデータパケット数を表し、
0006029196.tif 000011
はHARQが失敗するダウンリンクDRBデータパケット数を表す。
【００１２】
本発明の実施例はDRBパケット廃棄率の統計装置をさらに提供し、
クロスステーション/クロスボード切り換えの場合に、ソースセルに対して、DRBパケット廃棄率を計算するための関連パラメータを統計するように設定される統計モジュール、及び
前記関連パラメータに基づいてDRBパケット廃棄率を計算し、ダウンリンクDRB逆送信データがDRBパケット廃棄率の計算に参加しないように設定される計算モジュール、を備える。
【００１３】
好ましくは、前記統計モジュールは、前記ソースセルをアクティベーションした後に、各サービス品質クラス標識QCI等級の無線ベアラにおいて、プリセット周期内で、該セルが受信したすべてのダウンリンクDRBデータパケット数、ダウンリンクDRBパケット放棄数及びダウンリンク逆送信DRBデータパケット数を統計するように設定される。
【００１４】
好ましくは、前記計算モジュールは、
0006029196.tif 000012
という式に基づいて該セルのDRBパケット廃棄率を計算するように設定され、
ただし、
0006029196.tif 000013
はいずれかのQCI等級の無線ベアラにおいて、プリセット周期内でのDRBパケット廃棄率を表し、
0006029196.tif 000014
は前記ソースセルが受信したすべてのダウンリンクDRBデータのパケット数を表し、
0006029196.tif 000015
はダウンリンク逆送信DRBデータパケット数を表し、
0006029196.tif 000016
はダウンリンクDRBパケット放棄数を表す。
【００１５】
好ましくは、前記統計モジュールは、ソースセルをアクティベーションした後に、各QCI等級の無線ベアラにおいて、プリセット周期内で、ソースセルのダウンリンクDRBパケット放棄数、HARQが成功するダウンリンクDRBデータパケット数及びHARQが失敗するDRBデータパケット数を統計するように設定される。
【００１６】
好ましくは、前記計算モジュールは
0006029196.tif 000017
という式に基づいて該セルのDRBパケット廃棄率を計算するように設定され、
ただし、
0006029196.tif 000018
はいずれかのQCI等級の無線ベアラにおいて、プリセット周期内でのDRBパケット廃棄率を表し、
0006029196.tif 000019
はソースセルのダウンリンクDRBパケット放棄数を表し、
0006029196.tif 000020
はHARQが成功するダウンリンクDRBデータパケット数を表し、
0006029196.tif 000021
はHARQが失敗するダウンリンクDRBデータパケット数を表す。
【発明の効果】
【００１７】
本発明の実施例を用いて、正確的にDRBパケット損失率を計算でき、DRBパケット損失率の計算結果を希釈しなく、さらにシステム運転性能の監視を影響することがない。
【図面の簡単な説明】
【００１８】
【図１】図1は関連技術におけるクロスステーション切り換え過程においてダウンリンクDRBデータパケットの伝送模式図である。
【図２】図2は本発明の第1方法実施例のフローチャートである。
【図３】図3は本発明の第2方法実施例のアプリケーションシーン模式図である。
【図４】図4は本発明の第2方法実施例のフローチャートである。
【図５】図5は本発明の第3方法実施例のアプリケーションシーン模式図である。
【図６】図6は本発明の第3方法実施例のフローチャートである。
【図７】図7は本発明装置の実施例の構造模式図である。
【発明を実施するための形態】
【００１９】
以下で図面を参照して本発明の実施例を詳細的に説明する。なお、衝突しない場合に、本出願における実施例及び実施例における特徴は互いに組み合わせることができる。
【００２０】
まず、図2〜6を参照して本発明方法の実施例を詳細的に説明する。
【００２１】
図2は本発明の実施例の前記方法のフローチャートであり、
クロスステーション/クロスボード切り換えの場合に、ソース側セルに対して、DRBパケット廃棄率を計算する関連パラメータを統計するステップ201、
前記関連パラメータに基づいてDRBパケット廃棄率を計算し、且つ計算過程においてダウンリンクDRB逆送信データがDRBパケット廃棄率の計算に参加しないステップ202を含む。
【００２２】
図3は本発明の第2方法実施例のアプリケーションシーン模式図である。
【００２３】
図4は本発明の第2方法実施例のフローチャートであり、クロスステーション/クロスボード切り換えの場合に、セルGTPU（ユーザレベルのGPRSトンネルプロトコルであり、GPRSが汎用パケット無線サービスである）X2ダウンリンク逆送信パケット数の統計を増加し、
セルをアクティベーションした後に、
0006029196.tif 000022
（QCIがサービス品質クラス標識であり、
0006029196.tif 000023
はQCIの具体的な等級を表す）の無線ベアラにおいて、周期T内で、PDCP（レイヤードコンバージェンスプロトコル）がGTPUトンネル（S1トンネルとX2トンネルを含む）から受信したすべてのダウンリンクDRB（データ無線ベアラ）データのパケット数
0006029196.tif 000024
を統計するステップ401、
セルをアクティベーションした後に、
0006029196.tif 000025
の無線ベアラにおいて、周期T内で、すべてのX2トンネルからクロスステーション/クロスボード目標側セルに逆送信したすべてのダウンリンクDRBデータパケット数
0006029196.tif 000026
を統計するステップ402、
セルをアクティベーションした後に、
0006029196.tif 000027
の無線ベアラにおいて、周期T内で、すべての基地局内に廃棄したダウンリンクDRBデータパケット数
0006029196.tif 000028
を統計するステップ403、
各統計周期Tで統計計算をトリガーし、
0006029196.tif 000029
という式に基づいて該セルが周期T内で、
0006029196.tif 000030
でのDRBパケット廃棄率
0006029196.tif 000031
を計算するステップ404を含み、
なお、上記ステップ401〜ステップ403を実行する前後は上記の順序に制限されない。
【００２４】
図5は本発明の第3方法実施例のアプリケーションシーン模式図である。
【００２５】
図6は本発明の第3方法実施例のフローチャートであり、クロスステーション/クロスボード切り換えの場合に、該セルのダウンリンクDRBパケット放棄数、HARQが成功するダウンリンクDRBデータパケット数及びHARQが失敗するダウンリンクDRBデータパケット数を利用して該セルのパケット廃棄率を計算し、
セルをアクティベーションした後に、
0006029196.tif 000032
の無線ベアラにおいて、周期T内で、すべての基地局内に廃棄したダウンリンクDRBデータパケット数
0006029196.tif 000033
を統計するステップ601、
セルをアクティベーションした後に、
0006029196.tif 000034
の無線ベアラにおいて、周期T内で、すべてのHARQが成功するダウンリンクDRBデータパケット数
0006029196.tif 000035
を統計するステップ602、
セルをアクティベーションした後に、
0006029196.tif 000036
の無線ベアラにおいて、周期T内で、すべてのharqが失敗するダウンリンクDRBデータパケット数
0006029196.tif 000037
を統計するステップ603、
各統計周期Tで統計計算をトリガーし、
0006029196.tif 000038
という式に基づいて該セルが周期T内で、
0006029196.tif 000039
でのDRBパケット廃棄率
0006029196.tif 000040
を計算するステップ604を含み、
なお、上記ステップ601〜ステップ603を実行する前後は上記の順序に制限されない。
【００２６】
次に、図7を参照して本発明装置の実施例を詳細的に説明する。
【００２７】
図7に示すように、図7は本発明装置実施例の構造模式図であり、統計モジュールと計算モジュールを備え、
統計モジュールは、クロスステーション/クロスボード切り換えの場合に、ソースセルに対して、DRBパケット廃棄率に関連するパラメータを統計するように設定され、
計算モジュールは、前記関連パラメータに基づいてDRBパケット廃棄率を計算し、且つ、計算過程にダウンリンクDRB逆送信データがDRBパケット廃棄率の計算に参加しないように設定される。
【００２８】
該統計モジュールは、クロスステーション/クロスボード切り換えの場合に、ソース側セルに対して、該セルをアクティベーションした後に、各サービス品質クラス標識QCI等級の無線ベアラにおいて、プリセット周期内で、該セルが受信したすべてのダウンリンクDRBデータパケット数、ダウンリンクDRBパケット放棄数及びダウンリンク逆送信DRBデータパケット数を統計するように設定されると、
該計算モジュールは、
0006029196.tif 000041
という式に基づいて該セルのDRBパケット廃棄率を計算するように設定され、
ただし、
0006029196.tif 000042
はいずれかのQCI等級の無線ベアラにおいて、プリセット周期内でのDRBパケット廃棄率を表し、
0006029196.tif 000043
は該セルが受信したすべてのダウンリンクDRBデータのパケット数を表し、
0006029196.tif 000044
はダウンリンク逆送信DRBデータパケット数を表し、
0006029196.tif 000045
はダウンリンクDRBパケット放棄数を表す。
【００２９】
該統計モジュールは、クロスステーション/クロスボード切り換えの場合に、ソース側セルに対して、該セルをアクティベーションした後に、各QCI等級の無線ベアラにおいて、プリセット周期内で、該セルのダウンリンクDRBパケット放棄数、HARQが成功するダウンリンクDRBデータパケット数及びHARQが失敗するDRBデータパケット数を統計するように設定されると、
該計算モジュールは、
0006029196.tif 000046
という式に基づいて該セルのDRBパケット廃棄率を計算するように設定され、
ただし、
0006029196.tif 000047
はいずれかのQCI等級の無線ベアラにおいて、プリセット周期内でのDRBパケット廃棄率を表し、
0006029196.tif 000048
はソース側セルのダウンリンクDRBパケット放棄数を表し、
0006029196.tif 000049
はHARQが成功するダウンリンクDRBデータパケット数を表し、
0006029196.tif 000050
はHARQが失敗するダウンリンクDRBデータパケット数を表す。
【００３０】
以上のように、本発明の実施例はDRBパケット廃棄率の統計方法及び装置を提供し、クロスステーション/クロスボード切り換えの場合に、ダウンリンクDRB逆送信データがソース側セルのパケット廃棄率の計算に参加しなく、ソース側セルが1つの透明なエンティティと見される。このように、UEを頻繁的に切り換える場合に、逆送信データパケット数が比較的多く、本発明の実施例の計算方法を用いて正確的にDRBパケット損失率を計算でき、DRBパケット損失率の計算結果を希釈しなく、さらにシステム運転性能の監視を影響することがない。
【００３１】
著しく、当業者は、上記の本発明の各モジュール又は各ステップは汎用の計算装置によって実現することができ、それらは単一の計算装置に集積してよいし、又は複数の計算装置からなるネットワークに配布されてもよく、選択的に、それらは、計算装置が実行可能なプログラムコードで実現してよく、それにより、それらを記憶装置に記憶して計算装置で実行してよい。且つある場合には、ここでの順序と異なる順序で示した又は記述したステップを実行してよく、又はそれらをそれぞれ各集積回路モジュールに製造して、又はそれらにおける複数のモジュール又はステップを単一の集積回路モジュールに製造して実現してよいことを了解すべきである。このように、本発明はいずれの特定なハードウェアとソフトウェアの組み合わせに限定されたものではない。
【００３２】
前記のものは単に本発明の好ましい実施例であるだけで、本発明の保護範囲を限定するためのものではなく、当業者にとって、本発明が開示した技術範囲に、容易に考えた変化又は切替は、いずれも本発明の保護範囲に含まれるべきである。したがって、本発明の保護範囲は請求項の保護範囲を基準とするべきである。
【産業上の利用可能性】
【００３３】
本発明の実施例は正確的にDRBパケット損失率を計算でき、DRBパケット損失率の計算結果を希釈しなく、さらにシステム運転性能の監視を影響することがない。
【図１】
0006029196.tif 000071
【図２】
0006029196.tif 000072
【図３】
0006029196.tif 000073
【図４】
0006029196.tif 000074
【図５】
0006029196.tif 000075
【図６】
0006029196.tif 000076
【図７】
0006029196.tif 000077